(57)【要約】【課題】  プリンタ機が搭載された場合には、このプリンタ機能が提供する高品質フォントを有効利用して高品質な通信レポートを出力できるようにした複合機およびその制御方法を提供する。【解決手段】  通信レポートの印刷要求を受けてプリンタ機能が搭載されている場合には、あらかじめ設定された高品質フォントがプリンタ機能に搭載されているか確認後、高品質フォントを用いて印刷する。また、予め設定された高品質フォントが存在しない場合に印刷する言語を指定することにより異なる言語の高品質フォントを用いて印刷できるようにする。このとき言語をかえることなく、複合機が標準装備する低品質フォントを用いて印刷することもできる。【選択図】図２
2005311858.tif 000002
【特許請求の範囲】
【請求項１】
レポート印刷出力用の低品質フォントを内蔵し、レポートの印刷出力に際しては、該内蔵したレポート印刷出力用の低品質フォントを用いて所望のレポートを印刷出力するレポート出力機能を有する複合機において、
高品質フォントを提供するプリンタ機能が搭載されているかを判別する判別手段と、
前記判別手段により前記プリンタ機能が搭載されていると判別された場合は、前記内蔵の低品質フォントに代えて前記プリンタ機能により提供される高品質フォントを用いて前記レポートを印刷出力する印刷制御手段と
を具備することを特徴とする複合機。
【請求項２】
前記印刷制御手段は、
前記レポートの印刷出力に用いるフォントを予め設定し、前記プリンタ機能により提供される高品質フォントのなかに前記設定したフォントに対応する高品質フォントがある場合に、前記内蔵の低品質フォントに代えて前記設定したフォントに対応する高品質フォントを用いて前記レポートを印刷出力する
ことを特徴とする請求項１記載の複合機。
【請求項３】
前記レポートの印刷出力に用いる言語を指定する言語指定手段
を更に具備し、
前記印刷制御手段は、
前記判別手段により高品質フォントを用いたプリンタ機能が搭載されていると判別され、かつ前記プリンタ機能により提供される高品質フォントのなかに前記言語指定手段により指定された言語の高品質フォントがある場合は、前記内蔵の低品質フォントに代えて前記言語指定手段により指定された言語の高品質フォントを用いて前記レポートを印刷出力する
ことを特徴とする請求項１記載の複合機。
【請求項４】
前記印刷制御手段は、
前記判別手段により高品質フォントを用いたプリンタ機能が搭載されていると判別され、かつ前記プリンタ機能により提供される高品質フォントのなかに前記言語指定手段により指定された言語の高品質フォントがない場合は、前記内蔵の低品質フォントを用いて前記レポートを印刷出力する
ことを特徴とする請求項３記載の複合機。
【請求項５】
前記印刷制御手段は、
前記判別手段により高品質フォントを用いたプリンタ機能が搭載されていると判別され、かつ前記プリンタ機能により提供される高品質フォントのなかに前記言語指定手段により指定された言語の高品質フォントがなく、かつ前記プリンタ機能により提供される高品質フォントのなかに前記言語指定手段により指定された言語とは異なる他の言語の高品質フォントがある場合は、前記内蔵の低品質フォントに代えて前記言語指定手段により指定された言語とは異なる他の言語の高品質フォントを用いて前記レポートを印刷出力する
ことを特徴とする請求項３記載の複合機。
【請求項６】
前記言語指定手段は、
操作表示部で使用される言語に対応して前記レポートの印刷出力に用いる言語を指定する
ことを特徴とする請求項３乃至５のいずれかに記載の複合機。
【請求項７】
レポート印刷出力用の低品質フォントを内蔵し、レポートの印刷出力に際しては、該内蔵したレポート印刷出力用の低品質フォントを用いて所望のレポートを印刷出力するレポート出力機能を有する複合機の制御方法において、
高品質フォントを提供するプリンタ機能が搭載されているかを判別手段により判別し、
前記判別手段により前記プリンタ機能が搭載されていると判別された場合は、前記内蔵の低品質フォントに代えて前記プリンタ機能により提供される高品質フォントを用いて前記レポートを印刷出力する
ことを特徴とする複合機の制御方法。
【請求項８】
前記レポートの印刷出力に用いる言語を言語指定手段により指定し、
前記判別手段により高品質フォントを用いたプリンタ機能が搭載されていると判別され、かつ前記プリンタ機能により提供される高品質フォントのなかに前記言語指定手段により指定された言語の高品質フォントがある場合は、前記内蔵の低品質フォントに代えて前記言語指定手段により指定された言語の高品質フォントを用いて前記レポートを印刷出力する
ことを特徴とする請求項７記載の複合機の制御方法。
【発明の詳細な説明】
【技術分野】
【０００１】
本発明は、複合機およびその制御方法に関し、特に、複合機にプリンタ機能が搭載された場合は、内蔵のレポート印刷出力用の低品質フォントに代えて該プリンタ機能が提供する高品質フォントを用いて各種レポートを印刷出力することができるようにした複合機およびその制御方法に関する。
【背景技術】
【０００２】
一般に、プリンタ機能を搭載しないコピー・ファックス等の機能を有する複合機においては、通信管理レポートやジョブ履歴レポートなどの各種レポートを印刷出力するためにレポート印刷出力用の専用のフォントを内蔵している。
【０００３】
しかし、この内蔵されたレポート印刷出力用の専用のフォントは、コスト等の関係から低品質フォントが用いられている場合が多い。
【０００４】
このため、印刷出力される通信レポート等の画質は低品質のものとなって、その利用形態によってはユーザを満足させることはできない。
【０００５】
そこで、この低品質のフォントに代えて、高品質のフォントをレポート印刷出力用として複合機に内蔵すると、これによってコストアップに繋がり、また、メモリの多くの領域をこのレポート印刷出力用のフォントの記憶のために占有することになり、好ましくない。
【０００６】
従来、レポートの出力を行う際にあたり、レポート出力専用のフォントを搭載することで通常の印刷を行うのと同様な高品質フォントを用いてレポートの出力を可能にする従来技術として特許文献１に開示されたものがある。
【０００７】
この特許文献１に開示された従来技術においては、エラーレポート作成用のフォントデータを内蔵しているので、ホスト装置が存在しなくても、通常印刷のためのフォントデータを有するプリンタ装置と同様なエラーレポートを印刷することが可能である。
【０００８】
特許文献２に開示された従来技術においては、あらかじめ装置に備えられていないフォントデータを使用する際にフォントデータが格納されたメモリから呼び出して使用するように構成しているためメモリを有効に利用できる。
【０００９】
さらに、フォントデータが受信できない場合に、フォントを利用して送信または受信処理を行わないため、いつ、だれからファクシミリ送信されたか分からなくなる状態を回避することも可能である。
【特許文献１】特開平１０−２９３６２
【特許文献２】特開平０８−１２５７９９
【発明の開示】
【発明が解決しようとする課題】
【００１０】
しかしながら、特許文献１に示された従来技術において、一般的なコピー・ファックス等の機能を有する複合機では低品質のフォントのみを搭載しており、そこにレポート出力用の専用フォントを搭載することになるため、レポートの印字品質を上げるためのみにコストが発生することになる。
【００１１】
また、特許文献２に開示された従来技術では、指定された言語に対するフォントが存在しない場合には外部装置よりフォントをダウンロードするように構成しているため通信レポートの印刷までに多くの時間を要することがあるという問題がある。
【００１２】
そこで、本発明は、プリンタ機が搭載された場合には、このプリンタ機能が提供する高品質フォントを有効利用して高品質な通信レポートを出力できるようにした複合機およびその制御方法を提供することを目的とする。
【課題を解決するための手段】
【００１３】
上記目的を達成するため、請求項１の発明は、レポート印刷出力用の低品質フォントを内蔵し、レポートの印刷出力に際しては、該内蔵したレポート印刷出力用の低品質フォントを用いて所望のレポートを印刷出力するレポート出力機能を有する複合機において、高品質フォントを提供するプリンタ機能が搭載されているかを判別する判別手段と、前記判別手段により前記プリンタ機能が搭載されていると判別された場合は、前記内蔵の低品質フォントに代えて前記プリンタ機能により提供される高品質フォントを用いて前記レポートを印刷出力する印刷制御手段とを具備することを特徴とする。
【００１４】
また、請求項２の発明は、請求項１の発明において、前記印刷制御手段は、
前記レポートの印刷出力に用いるフォントを予め設定し、前記プリンタ機能により提供される高品質フォントのなかに前記設定したフォントに対応する高品質フォントがある場合に、前記内蔵の低品質フォントに代えて前記設定したフォントに対応する高品質フォントを用いて前記レポートを印刷出力することを特徴とする。
【００１５】
また、請求項３の発明は、請求項１の発明において、前記レポートの印刷出力に用いる言語を指定する言語指定手段を更に具備し、前記印刷制御手段は、前記判別手段により高品質フォントを用いたプリンタ機能が搭載されていると判別され、かつ前記プリンタ機能により提供される高品質フォントのなかに前記言語指定手段により指定された言語の高品質フォントがある場合は、前記内蔵の低品質フォントに代えて前記言語指定手段により指定された言語の高品質フォントを用いて前記レポートを印刷出力することを特徴とする。
【００１６】
また、請求項４の発明は、請求項３の発明において、前記印刷制御手段は、前記判別手段により高品質フォントを用いたプリンタ機能が搭載されていると判別され、かつ前記プリンタ機能により提供される高品質フォントのなかに前記言語指定手段により指定された言語の高品質フォントがない場合は、前記内蔵の低品質フォントを用いて前記レポートを印刷出力することを特徴とする。
【００１７】
また、請求項５の発明は、請求項３の発明において、前記印刷制御手段は、前記判別手段により高品質フォントを用いたプリンタ機能が搭載されていると判別され、かつ前記プリンタ機能により提供される高品質フォントのなかに前記言語指定手段により指定された言語の高品質フォントがなく、かつ前記プリンタ機能により提供される高品質フォントのなかに前記言語指定手段により指定された言語とは異なる他の言語の高品質フォントがある場合は、前記内蔵の低品質フォントに代えて前記言語指定手段により指定された言語とは異なる他の言語の高品質フォントを用いて前記レポートを印刷出力することを特徴とする。
【００１８】
また、請求項６の発明は、請求項３乃至５の発明において、前記言語指定手段は、操作表示部で使用される言語に対応して前記レポートの印刷出力に用いる言語を指定することを特徴とする。
【００１９】
また、請求項７の発明は、レポート印刷出力用の低品質フォントを内蔵し、レポートの印刷出力に際しては、該内蔵したレポート印刷出力用の低品質フォントを用いて所望のレポートを印刷出力するレポート出力機能を有する複合機の制御方法において、高品質フォントを提供するプリンタ機能が搭載されているかを判別手段により判別し、前記判別手段により前記プリンタ機能が搭載されていると判別された場合は、前記内蔵の低品質フォントに代えて前記プリンタ機能により提供される高品質フォントを用いて前記レポートを印刷出力することを特徴とする。
【００２０】
請求項８の発明は、請求項７の発明において、前記レポートの印刷出力に用いる言語を言語指定手段により指定し、前記判別手段により高品質フォントを用いたプリンタ機能が搭載されていると判別され、かつ前記プリンタ機能により提供される高品質フォントのなかに前記言語指定手段により指定された言語の高品質フォントがある場合は、前記内蔵の低品質フォントに代えて前記言語指定手段により指定された言語の高品質フォントを用いて前記レポートを印刷出力することを特徴とする。
【発明の効果】
【００２１】
本発明によれば、通信管理レポートやジョブ履歴レポートなど各種のレポートの出力をプリンタ機能が搭載されている場合にプリンタ機能が保有する高品質フォントを用いて印刷するようにしたので、通常の印刷と同様な高品質の印刷を実現することができるようになるという効果を奏する。
【００２２】
さらに印刷要求された上記通信レポートの高品質フォントが搭載されていない場合には、印刷要求された言語とは異なる言語に切り換えてプリンタ機能に搭載された高品質フォントで印刷を行うか、あらかじめコピー・ファックス機能に搭載された低品質のフォントを用いて印刷するか選択できるように構成したので、搭載されているフォントの範囲で所望のフォントで通信レポートを印刷することができるようになるという効果を奏する。
【発明を実施するための最良の形態】
【００２３】
以下、本発明に係わる複合機およびその制御方法の一実施例を添付図面を参照して詳細に説明する。
【実施例１】
【００２４】
図１は、この発明に係わる複合機とプリンタ機能を搭載した場合の複合機の構成を示す図である。
【００２５】
図１には、複合機１０１、プリンタ機能搭載済み複合機１０５が示されており、複合機１０１は、ＦＡＸ・コピー機能１０２、基本機能１０３、低品質フォント１０４を具備して構成され、プリンタ機能搭載済み複合機１０５は、複合機１０１に含まれる構成に加えてプリンタ機能１０６、高品質フォント１０７を具備して構成されている。
【００２６】
ＦＡＸ・コピー機能１０２は、一般的なＦＡＸ機能とコピー機能を提供し、基本機能１０３は、ＦＡＸ機能とコピー機能を提供するにあたり必要な処理を実現するものである。
【００２７】
低品質フォント１０４は、上記ＦＡＸ・コピー機能１０２における通信管理レポートやジョブ履歴レポートなどの通信レポートを印刷出力する場合に用いられるフォントである。そのため通信レポートの出力は複合機１０１における主たる機能ではないため価格の上昇を抑制するために簡易フォントを搭載していることが大多数を占める。
【００２８】
プリンタ機能搭載済み複合機１０５のプリンタ機能に内蔵された高品質フォント１０７は、プリンタ機能を実現するために必要で標準装備されたフォントである。
【００２９】
プリンタ機能は印刷することが主たる機能であるため複合機１０１に搭載されたフォントに比べて高品質なフォントを搭載しており、標準装備された当該高品質フォント１０７を用いて上記通信管理レポートやジョブ履歴レポートなどの通信レポートを印刷出力する。
【００３０】
これにより低品質フォントしか内蔵してない複合機１０１における通信レポートの印刷出力が所望の印刷品質で実現できる。
【００３１】
図２は、この発明に係わるプリンタ機能搭載済み複合機１０５のシステム構成を示す図である。
【００３２】
図２には、印刷要求受付部２０１、判別部２０２、プリンタ機能２０３、高品質フォント２０４、印刷制御部２０５、設定部２０６、判断部２０７、制御部２０８、ＦＡＸ・コピー機能２０９、低品質フォント２１０、言語指定部２１１、入力部２１２、表示部２１３、レポート生成部２１４、出力部２１５を具備して構成されている。
【００３３】
印刷要求受付部２０１は、ユーザからの通信レポート出力要求を受け付けるものである。
【００３４】
判別部２０２は、複合機にプリンタ機能２０３が搭載されているか判別するものである。
【００３５】
プリンタ機能２０３は、印刷出力することを主たる機能としたものであり、高品質フォント２０４を標準装備している。判別部２０２でプリンタ機能が搭載されているか判別することは、標準装備された高品質フォントを用いて印刷する用意があるかどうかを判別することに帰着する。
【００３６】
すなわち、プリンタ機能２０３が複合機に搭載されていない場合にはプリンタ機能が持つ高品質フォントを使用することができず、必然的に複合機に標準搭載されている低品質フォント２１０を使用して印刷することになる。
【００３７】
高品質フォント２０４は、プリンタ機能２０４の主たる機能である印刷を実現するのに必要不可欠な要素である。また、高品質フォント２０４はＦＡＸ・コピー機能２０９に搭載されている低品質フォント２１０と比べて高品質なフォントである。
【００３８】
印刷制御部２０５は、プリンタ機能搭載済み複合機１０５の通信レポートを印刷制御する機能の集合である。
【００３９】
設定部２０６は、通信管理レポートやジョブ履歴レポートなどの通信レポートを印刷するにあたり使用する高品質フォントをあらかじめ設定しておくものである。
【００４０】
例えば、印刷する通信レポートごとに使用する高品質フォントを設定することで重要度の高いレポートなどはより鮮明なフォントで印刷することが可能である。
【００４１】
判断部２０７は、設定部２０６で設定された高品質フォントがプリンタ機能２０３に内蔵されている高品質フォント２０４に存在するかどうか判断するものである。
【００４２】
制御部２０８は、設定部２０６で設定されている高品質フォントが判断部２０７の判断結果で存在している場合に該設定された高品質フォントを用いて印刷するように制御するものであり、言語指定部２１１でユーザにより指定された言語に対する高品質フォントがプリンタ機能２０３に内蔵された高品質フォント２０３に存在しているか判断部２０７で判断して該結果に応じたフォントを用いることにより印刷する通信レポートのフォントを制御するものである。
【００４３】
ＦＡＸ・コピー機能２０９は、複合機１０１が主としている機能であり、ＦＡＸやコピーを行った記録を印刷するための低品質フォント２１０を標準装備しているものである。
【００４４】
低品質フォント２１０は、ＦＡＸやコピーの使用状況や通信記録を示すレポートを印刷する際に用いられる簡易的なフォントである。
【００４５】
言語指定部２１１は、印刷要求された通信レポートを印刷する言語を手動で変更するものである。
【００４６】
入力部２１２は、言語指定を行うために表示部２１３に表示された画面を通じてユーザからの入力を行うものである。
【００４７】
表示部２１３は、言語指定を行うにあたり言語指定画面を表示するものである。
【００４８】
ここで表示部２１３に表示された言語指定画面を用いて入力部２１２からユーザによる言語指定操作によって通信レポートの印刷する言語を言語指定部２１１で指定することができる。
【００４９】
レポート生成部２１４は、印刷要求受付部２０１で受け付けた通信レポートの印刷要求と、制御部２０８で所望のフォントで印刷するように制御された結果を鑑みて要求された通信レポートを印刷するものである。
【００５０】
出力部２１５は、レポート生成部２１４で生成された通信レポートを外部出力装置に出力するものである。
【００５１】
このように構成すると、判別部２０２により高品質フォントを用いたプリンタ機能が搭載されていると判別され、かつプリンタ機能により提供される高品質フォントのなかに言語指定部２１１または設定部２０６に設定された言語の高品質フォントがある場合は、複合機１０１に内蔵された低品質フォントに代えて言語指定部２１１により指定された言語の高品質フォントを用いて通信レポートをレポート生成部２１４で生成して出力部２１５から出力することができる。
【００５２】
さらに、判別部２０２により高品質フォントを用いたプリンタ機能が搭載されていると判別され、かつプリンタ機能により提供される高品質フォントのなかに言語指定部２１１または設定部２０６に設定された言語の高品質フォントがない場合は、複合機１０１に内蔵された同一言語における低品質フォントを用いて通信レポートを出力することができる。
【００５３】
そして、判別部２０２により高品質フォントを用いたプリンタ機能が搭載されていると判別され、かつプリンタ機能により提供される高品質フォントのなかに言語指定部２１１または設定部２０６に設定された言語に対する高品質フォントがなく、かつプリンタ機能により提供される高品質フォントのなかに言語指定部２１１または設定部２０６に設定された言語とは異なる他の言語の高品質フォントがある場合は、複合機１０１に内蔵された低品質フォントに代えて言語指定部２１１または設定部２０６で設定された言語とは異なる他の言語の高品質フォントを用いて通信レポートを印刷出力することができる。
【００５４】
また、判定部２０２の判定により高品質フォントを用いたプリンタ機能が搭載されていない場合には、必然的に複合機１０１が持つ低品質フォント２１０を用いて印刷要求された通信レポートを印刷出力する。
【００５５】
図３は、この発明に係わる異言語での印刷の流れを示すフローチャートである。
【００５６】
図３において、印刷要求を受け付けると処理が開始され、印刷要求された通信レポートを印刷する言語を判断し（ステップ３０１）、判断した印刷を行う言語に対するプリンタ機能が持つ高品質フォントが存在するかどうかの判別を行い（ステップ３０２）、判断した言語に対する高品質フォントが存在する場合（ステップ３０２でＹＥＳ）には印刷を行う言語として該当する高品質フォントを印刷フォントとして指定する（ステップ３０３）。判断した言語に対するフォントが存在しない場合（ステップ３０２でＮＯ）には、言語を切り換えて切り換えた言語における高品質フォントを用いて印刷するか、言語を換えることなく、レベルの低い基本機能に搭載されているフォント（以下、レポート専用フォントという）を用いて印刷するかの選択を行う（ステップ３０４）。
【００５７】
選択されたフォントがレポート専用フォントであるか判別し（ステップ３０５）、レポート専用フォントである場合（ステップ３０５でＹＥＳ）には印刷フォントとしてレポート専用フォントを指定する。レポート専用フォントが選択されない場合（ステップ３０５でＮＯ）には、指定された言語における高品質フォントを印刷するフォントとして指定する（ステップ３０７）。
【００５８】
上記処理により指定されたいずれかのフォントを適用して通信レポートを生成し、指定された所望のフォントを用いて生成された通信レポートの印刷を行う（ステップ３０８）。
【００５９】
図４は、この発明における指定されたフォントが存在しない場合の画面４００を示す図である。
【００６０】
図４において、あらかじめ設定されたプリンタ機能の持つ高品質フォントを用いて通信レポートを生成して印刷しようとした場合に設定されたフォントがプリンタ機能の持つ高品質フォントに存在しない場合に表示されるフォントエラーを通知する画面４００である。
【００６１】
図５は、この発明における印刷フォントを指定する画面５００を示す図である。
【００６２】
図５において、設定された高品質フォントが存在しない場合の代替フォントを選択する処理を行う。ここに示す画面の例では、印刷要求された通信レポート内の英語で印刷要求された文字に対する高品質フォントが存在しない場合であり、その英語の文字の印刷をレポート専用フォントで印刷を行うか、または英語の文字の言語を対応している言語（日本語、ドイツ語、フランス語）に切り換えて高品質フォントでの印刷を実行するようにするかを選択する。
【００６３】
画面に示されている例では、英語の文字部分を日本語に翻訳して翻訳した日本語における高品質フォントに切り換えて印刷を行うことを示している。
【００６４】
図６は、この発明における低品質フォントで印刷を行った場合のイメージ図である。
【００６５】
図６においては、ＦＡＸ・コピー機能に搭載されたレベルの低いフォントを用いて通信レポートを生成したものである。通常、一般的にプリンタに用いられている印刷イメージよりも文字が読みにくくなっている。
【００６６】
図７は、この発明におけるプリンタ機能が持つ高品質フォントで印刷を行った場合のイメージ図である。
【００６７】
図７においては、プリンタ機能が持つ高品質フォントで印刷を行っているので通常の印刷イメージと同じように通信レポートを読むことができる。
【００６８】
図８は、この発明において異なる言語の高品質フォントを用いて印刷を行った場合の印刷イメージを示す図である。
【００６９】
図８において、「Productname」を「製品名称」、「System Setting List」を「機能設定リスト」と異なる言語の高品質フォントを用いて印刷を行った場合を示している。
【００７０】
これにより「Productname」「System Setting List」と印刷要求された言語で印刷した場合には低品質フォントで印刷されていたものが言語を切り換えることにより高品質のフォントで印刷が行えるようになる。
【実施例２】
【００７１】
実施例１に示す例における異なる言語の高品質フォントを利用して印刷する場合に印刷要求された通信レポート全体に対して言語を切り換えて印刷するように構成しているが、通信レポートに複数の言語や複数のフォントでの印刷要求がされている場合には、印刷要求された単語ごと乃至はフォントの種類ごとによって印刷する言語を変換できるようにしてもよい。
【００７２】
図９は、この発明におけるフォントの異なりによって印刷する言語を切り換えて印刷した場合のイメージ図である。
【００７３】
図９においては、印刷要求された言語で仮に印刷したイメージを上部の印刷イメージ９０１に示しており、印刷イメージ９０１に示された「Productname」「System Setting List」という文字が異なるフォントで印刷要求されている場合に、フォントごとに印刷する言語を代えて印刷した場合の印刷イメージ９０２を示している。
【００７４】
例えば、ここに示す例の場合、「System Setting List」を日本語に言語を切り換えてプリンタ機能に保存されている日本語の高品質フォント１で「機能設定リスト」と表示している。
【００７５】
ちなみに、「Productname」は印刷要求されたフォントが英語の高品質フォント２であり、プリンタ機能にフォント２が保存されているため要求通り高品質フォント２で印刷を行うことができている。
【００７６】
以上の処理によって、本発明の印刷制御システムでは、ＦＡＸ・コピー機能の複合機にあらかじめ搭載されている低品質のフォントを用いて通信レポートを印刷するのではなく、プリンタ機能が持つ高品質のフォントを用いて通信レポートを印刷することができるようになり、またプリンタ機能に搭載されていないフォントに対しても言語を切り換えて高品質フォントで印刷することができる。
【００７７】
これによって、所望のフォントを用いた通信レポートを印刷することが可能になる。
【００７８】
従って、本発明を適用することにより、高画質の通信レポートを最適なフォントで印刷することができるようになるという効果を期待できる。
【００７９】
なお、本発明は、上記し、且つ図面に示す実施例に限定することなく、その要旨を変更しない範囲内で適宜変形して実施できるものである。
【産業上の利用可能性】
【００８０】
本発明は、プリンタ機能の拡張が可能な複合機に適用可能であり、特に、通信レポートの印刷をプリンタ機能が持つ高品質のフォントを用いて印刷することができ、印刷要求された言語に対する高品質フォントが搭載されていない場合にも要求された言語とは異なる言語を用いて高品質フォントで印刷するようにしたので通信レポートの高品質印刷を行うのに有用である。
【図面の簡単な説明】
【００８１】
【図１】この発明に係わる複合機とプリンタ機能を搭載した場合の複合機の構成を示す図。
【図２】この発明に係わるプリンタ機能搭載済み複合機のシステム構成を示す図。
【図３】この発明に係わる異言語での印刷の流れを示すフローチャート。
【図４】この発明における指定されたフォントが存在しない場合の画面を示す図。
【図５】この発明における印刷フォントを指定する画面を示す図。
【図６】この発明における低品質フォントで印刷を行った場合のイメージ図。
【図７】この発明におけるプリンタ機能が持つ高品質フォントで印刷を行った場合のイメージ図。
【図８】この発明において異なる言語の高品質フォントを用いて印刷を行った場合の印刷イメージを示す図。
【図９】この発明におけるフォントの異なりによって印刷する言語を切り換えて印刷した場合のイメージ図。
【符号の説明】
【００８２】
１０１      複合機
１０２      ＦＡＸ・コピー機能
１０３      基本機能
１０４      低品質フォント
１０５      プリンタ機能搭載済み複合機
１０６      プリンタ機能
１０７      高品質フォント
２０１      要求受付部
２０２      判定部
２０３      プリンタ機能
２０４      高品質フォント
２０５      印刷制御部
２０６      設定部
２０７      判断部
２０８      制御部
２０９      ＦＡＸ・コピー機能
２１０      低品質フォント
２１１      言語指定部
２１２      入力部
２１３      表示部
２１４      レポート生成部
２１５      出力部
【図１】
2005311858.tif 000003
【図２】
2005311858.tif 000004
【図３】
2005311858.tif 000005
【図４】
2005311858.tif 000006
【図５】
2005311858.tif 000007
【図６】
2005311858.tif 000008
【図７】
2005311858.tif 000009
【図８】
2005311858.tif 000010
【図９】
2005311858.tif 000011